(57)【要約】【課題】  本発明は、フェンスとしての強度を有するとともに、内部と外部の見通しが適度に制御できるフェンス用合わせガラス組立体およびフェンス。【解決手段】  本発明のフェンス用合わせガラス組立体は、合わせガラスと、前記合わせガラスの間に挿入されたフィルムと、ガラスの周囲を保護するガラス保護部材とから構成されている。前記フィルムは、前記合わせガラスの間に挿入されるものであり、透明部と非透明部から構成される。前記ガラス保護部材は、前記合わせガラスの周囲端部に枠部材または溶着部材が設けられており、運搬等の際に、前記端部が何かに衝突して、欠けることがないように保護されている。【選択図】    図１
2006002339.tif 000002
【特許請求の範囲】
【請求項１】
少なくとも二枚の強化ガラスからなる合わせガラスと、
前記合わせガラスの間に挿入された透明部と非透明部を有するフィルムと、
前記合わせガラスの周囲端部に設けられたガラス保護部材と、
を少なくとも備えていることを特徴とするフェンス用合わせガラス組立体。
【請求項２】
前記ガラス保護部材は、金属または合金類、あるいは合成樹脂系の部材から構成されていることを特徴とする請求項１に記載されたフェンス用合わせガラス組立体。
【請求項３】
前記ガラス保護部材は、前記ガラスの周囲端部に溶着されていることを特徴とする請求項１または請求項２に記載されたフェンス用合わせガラス組立体。
【請求項４】
前記ガラス保護部材は、アルミニウム系合金からなる枠部材により、前記ガラスの周囲端部を緩衝材を介して覆っていることを特徴とする請求項１から請求項３のいずれか１項に記載されたフェンス用合わせガラス組立体。
【請求項５】
前記枠部材は、合わせガラスの四辺端部を覆う４本の中空部材からなることを特徴とする請求項４に記載されたフェンス用合わせガラス組立体。
【請求項６】
前記中空部材の少なくとも端部には、互いに固定するボルトの頭を収納する凹部と、前記中空部材の内部に設けられた前記ボルトを螺合するネジ部とからなることを特徴とする請求項４または請求項５に記載されたフェンス用合わせガラス組立体。
【請求項７】
前記中空部材の上部に設けられた凹部と対向する外部に突出する合わせガラス用凹部が成形されていることを特徴とする請求項４から請求項６のいずれか１項に記載されたフェンス用合わせガラス組立体。
【請求項８】
前記フィルムは、透明部と非透明部を有するフィルムと、少なくとも一枚の飛散防止用フィルムとから構成されていることを特徴とする請求項１から請求項７のいずれか１項に記載されたフェンス用合わせガラス組立体。
【請求項９】
前記フィルムは、透明部と非透明部を有するフィルムと、少なくとも一枚の赤外線防止用フィルムまたは紫外線防止用フィルムとから構成されていることを特徴とする請求項１から請求項８のいずれか１項に記載されたフェンス用合わせガラス組立体。
【請求項１０】
少なくとも二枚の強化ガラスからなる合わせガラスと、
前記合わせガラスの間に挿入された透明部と非透明部を有するフィルムと、
前記合わせガラスの周囲端部に設けられたガラス保護部材と、
を少なくとも備えているフェンス用合わせガラス組立体；
前記フェンス用合わせガラス組立体を取り付ける嵌合溝が備えられている複数の柱と、
前記フェンス用合わせガラス組立体の上下を支える嵌合溝が備えられているとともに、前記柱に取り付けられる上桟および下桟と、
前記上桟と柱を覆う笠木と、
を備えている柱組立体；
からなることを特徴とするフェンス。
【請求項１１】
前記ガラス保護部材は、前記柱と上桟および下桟との嵌合溝からはみ出していることを特徴とする請求項１０に記載されたフェンス。
【請求項１２】
前記ガラス保護部材に使用される金属または合金類、あるいは合成樹脂部材は、柱、上下桟、および笠木の色とほぼ同じにしたことを特徴とする請求項１０または請求項１１に記載されたフェンス。
【請求項１３】
前記フィルムは、透明部と非透明部によって所望の模様が形成されていることを特徴とする請求項１０から請求項１２のいずれか１項に記載されたフェンス。
【請求項１４】
前記フィルムに形成する模様は、下部に非透明部を多く、上部に透明部を多くすることを特徴とする請求項１０から請求項１４のいずれか１項に記載されたフェンス。
【発明の詳細な説明】
【技術分野】
【０００１】
本発明は、住宅や構築物等の周囲を取り囲むフェンスで、内部または外部から適度に見通すことができるフェンスに関するものである。本発明は、ショールームにおける仕切等のパーティションとして使用することができるフェンスに関するものである。
【背景技術】
【０００２】
住宅や構築物等の周囲を取り囲むフェンスは、防犯上、完全に内外が遮蔽されない方が良く、内部の者が外部を見通し易く、かつ、外部の者が内部を多少見えるようにすることが必要である。前記防犯フェンスは、たとえば、特開平７−２５９４３５号公報に記載されているように、一対の透明強化ガラス板の対向面にそれぞれ透明電極膜を配設するとともに、液晶フィルムを前記透明電極膜間に介在させている。
【特許文献１】特開平７−２５９４３５号公報
【発明の開示】
【発明が解決しようとする課題】
【０００３】
前記特許文献１に記載された防犯フェンスは、透明電極膜間の印加電圧を制御することにより、液晶フィルムを透明状態と不透明状態に変えている。前記防犯フェンスは、必要な時に、透明なガラスフェンスを乳白色の曇り状態にし、反対側からの透視を絶つことを可能にしている。
【０００４】
前記防犯フェンスは、強化ガラス、透明電極、液晶フィルム、印加電圧の制御等が必要であり、通常のフェンスと比較して高価なものとなる。また、ガラスフェンスは、内部と外部の見通しが良過ぎるため、および強度の点で敬遠されてきた。
【０００５】
以上のような課題を解決するために、本発明は、フェンスとしての強度を有するとともに、内部と外部の見通しがフィルム等によって適度に制御できるフェンス用合わせガラス組立体およびフェンスを提供することを目的とする。
【０００６】
本発明は、強化ガラスをフェンスとして使用した場合に、その周囲端部の補強が充分になされたフェンス用合わせガラス組立体およびフェンスを提供することを目的とする。
【課題を解決するための手段】
【０００７】
（第１発明）
第１発明のフェンス用合わせガラス組立体は、少なくとも二枚の強化ガラスからなる合わせガラスと、前記合わせガラスの間に挿入された透明部と非透明部を有するフィルムと、前記合わせガラスの周囲端部に設けられたガラス保護部材と、を少なくとも備えていることを特徴とする。
【０００８】
（第２発明）
第２発明のフェンス用合わせガラス組立体は、第１発明におけるガラス保護部材が金属または合金類、あるいは合成樹脂系の部材から構成されていることを特徴とする。
【０００９】
（第３発明）
第３発明のフェンス用合わせガラス組立体は、第１発明または第２発明におけるガラス保護部材がガラスの周囲端部に溶着されていることを特徴とする。
【００１０】
（第４発明）
第４発明のフェンス用合わせガラス組立体は、第１発明から第３発明におけるガラス保護部材がアルミニウム系合金からなる枠部材により、前記ガラスの周囲端部を緩衝材を介して覆っていることを特徴とする。
【００１１】
（第５発明）
第５発明のフェンス用合わせガラス組立体は、第４発明における枠部材が合わせガラスの四辺端部を覆う４本の中空部材からなることを特徴とする。
【００１２】
（第６発明）
第６発明のフェンス用合わせガラス組立体は、第４発明または第５発明における中空部材の少なくとも端部に、互いに固定するボルトの頭を収納する凹部と、前記中空部材の内部に設けられた前記ボルトを螺合するネジ部とからなることを特徴とする。
【００１３】
（第７発明）
第７発明のフェンス用合わせガラス組立体は、第４発明から第６発明における中空部材の上部に設けられた凹部と対向する外部に突出する合わせガラス用凹部が成形されていることを特徴とする。
【００１４】
（第８発明）
第８発明のフェンス用合わせガラス組立体は、第１発明から第７発明におけるフィルムが透明部と非透明部を有するフィルムと、少なくとも一枚の飛散防止用フィルムとから構成されていることを特徴とする。
【００１５】
（第９発明）
第９発明のフェンス用合わせガラス組立体は、第１発明から第８発明におけるフィルムが透明部と非透明部を有するフィルムと、少なくとも一枚の赤外線防止用フィルムまたは紫外線防止用フィルムとから構成されていることを特徴とする。
【００１６】
（第１０発明）
第１０発明のフェンスは、少なくとも二枚の強化ガラスからなる合わせガラスと、前記合わせガラスの間に挿入された透明部と非透明部を有するフィルムと、前記合わせガラスの周囲端部に設けられたガラス保護部材と、を少なくとも備えているフェンス用合わせガラス組立体；
前記フェンス用合わせガラス組立体を取り付ける嵌合溝が備えられている複数の柱と、前記フェンス用合わせガラス組立体の上下を支える嵌合溝が備えられているとともに、前記柱に取り付けられる上桟および下桟と、前記上桟と柱を覆う笠木と、を備えている柱組立体；
からなることを特徴とする。
【００１７】
（第１１発明）
第１１発明のフェンスは、第１０発明のガラス保護部材が柱と上桟および下桟との嵌合溝からはみ出していることを特徴とする。
【００１８】
（第１２発明）
第１２発明のフェンスは、第１０発明または第１１発明におけるガラス保護部材に使用される金属または合金類、あるいは合成樹脂部材が柱、上下桟、および笠木の色とほぼ同じにしたことを特徴とする。
【００１９】
（第１３発明）
第１３発明のフェンスは、第１０発明から第１２発明におけるフィルムが透明部と非透明部によって所望の模様が形成されていることを特徴とする。
【００２０】
（第１４発明）
第１４発明のフェンスは、第１０発明から第１３発明におけるフィルムに形成する模様が下部に非透明部を多く、上部に透明部を多くすることを特徴とする。
【発明の効果】
【００２１】
本発明によれば、フィルムが合わせガラスの間に挿入されて、透明部と非透明部を構成しているため、内部から外部を適度に見通すことができ、外部から内部が見通し難くなるようになっている。
【００２２】
本発明によれば、ガラス保護部材が合わせガラスの周囲端部に設けられているため、運搬の際やフェンスに取り付けた際に、前記合わせガラスの周囲端部が欠けることがないように保護されている。
【００２３】
本発明によれば、ガラスの周囲端部がガラス保護部材により保護されているため、フェンスに何らかの荷重がかかっても、前記ガラスが割れることがないようになっている。
【００２４】
本発明によれば、ガラス保護部材が合わせガラスの周囲端部に溶着されており、前記ガラス保護部材とガラスとの間に隙間がなくなるため、フェンスとしての強度を向上させることができる。
【００２５】
本発明によれば、合わせガラスの間に、飛散防止用フィルムを入れることにより、前記合わせガラスが割れた場合、前記強化ガラスの飛散を防止してガラスによる被害を少なくしている。
【００２６】
本発明によれば、合わせガラスの間に、赤外線防止用フィルムおよび／または紫外線防止用フィルムを入れることにより、不要な赤外線または紫外線の侵入を適度に防止している。
【００２７】
本発明によれば、フェンスは、合わせガラスの間に挿入されたフィルムの透明部と非透明部により、内部から外部が適度に見通せるようになっている。
【００２８】
本発明によれば、合わせガラスの周囲端部を保護するガラス保護部材または保護枠の色と、フェンスの一部である柱、上下桟、および笠木の色とを同じにして美的外観を良くしている。
【００２９】
本発明によれば、合わせガラスの周囲端部を保護する保護枠がアルミニウム合金等の部材からなり、中空であるため、合わせガラスに対して、あるいは互いを組み立てる際にクッション性を持たせることができるため、破損することなく、堅固に固定することができる。
【００３０】
本発明によれば、合わせガラスの周囲端部を保護するガラス保護部材または保護枠をフェンスの一部である柱、上下桟に設けられた嵌合溝の深さより大きくしているため、前記合わせガラスに何にかが衝突した場合であっても、前記合わせガラスの周囲にかかる応力に耐えることができる。
【発明を実施するための最良の形態】
【００３１】
（第１発明）
第１発明のフェンス用合わせガラス組立体は、合わせガラスと、前記合わせガラスの間に挿入されたフィルムと、ガラスの周囲を保護するガラス保護部材とから構成されている。前記合わせガラスは、少なくとも二枚の強化ガラスが合わされている。また、前記合わせガラスの枚数は、必要に応じて、三枚または四枚等枚数を増加することができる。
【００３２】
前記フィルムは、前記合わせガラスの間に挿入されるものであり、透明部と非透明部から構成される。前記透明部は、内部から外部を容易に見通すことができ、前記非透明部は、外部から内部を見通した場合、見難いように、たとえば、色が印刷されている。
【００３３】
前記ガラス保護部材は、前記合わせガラスの周囲端部に枠部材または溶着部材が設けられており、運搬等の際に、前記端部が何かに衝突して、欠けることがないように保護されている。また、前記ガラスの周囲端部は、フェンス用合わせガラス組立体として、柱等に取り付けられた場合、前記フェンスに何らかの荷重がかかると、一番応力のかかる場所である。そのため、前記ガラスの周囲端部は、補強用のガラス保護部材によって覆われている。なお、前記ガラス保護部材が枠部材の場合、前記枠の内部内に、たとえば、ゴムのような緩衝材を入れるようにすることもできる。
【００３４】
（第２発明）
第２発明のフェンス用合わせガラス組立体におけるガラス保護部材は、金属または合金類、たとえば、アルミニウム、銅、アルミニウム系合金、チタン系合金、あるいは合成樹脂系部材から構成されている。前記フェンス用合わせガラス組立体は、それ自体が小さい場合、合成樹脂系のガラス保護部材とし、比較的大きい場合、ガラスの周囲端部にかかる応力等を考慮して、金属、または合金を採用することで、この部分の強度を上げている。
【００３５】
また、前記アルミニウム、銅、アルミニウム系合金、チタン系合金、あるいは合成樹脂系部材からなるガラス保護部材は、フェンス用合わせガラス組立体の大きさに応じて、その厚さを変えることができる。さらに、前記フェンス用合わせガラス組立体は、前記合わせガラスとガラス保護部材とを溶着以外に接着剤等により接着させることができる。
【００３６】
（第３発明）
第３発明のフェンス用合わせガラス組立体におけるガラス保護部材は、前記ガラス保護部材と合わせガラスに熱を加えることにより、前記ガラス保護部材がガラスの周囲端部に溶着されている。前記溶着による接着は、前記合わせガラスの周囲端部とガラス保護部材との間に隙間がなくなるため、合わせガラス周囲端部の強度が向上する。
【００３７】
（第４発明）
第４発明のフェンス用合わせガラス組立体におけるガラス保護部材は、アルミニウム系合金からなる枠部材からなり、前記ガラスの周囲端部と、前記アルミニウム系合金からなる枠部材との間に、たとえば、弾性部材からなる緩衝材を介在させている。前記緩衝材は、前記枠部材とガラス保護部材が直接当たらないため、合わせガラスの周囲端部が欠けることがない。
【００３８】
（第５発明）
第５発明のフェンス用合わせガラス組立体における枠部材は、合わせガラスの四辺端部を覆う４本の中空部材からなる。前記中空部材は、アルミニウム系合金部材からなり、押し出し成形によって作製される。また、前記中空部材は、内部の中空のため、合わせガラスを保持する際にクッション性を有するため、合わせガラスを保護することができる。
【００３９】
（第６発明）
第６発明のフェンス用合わせガラス組立体は、中空部材の少なくとも端部に、互いに固定するボルトの頭を収納する凹部と、前記中空部材の内部に設けられた前記ボルトを螺合するネジ部とから構成されている。前記凹部およびネジ部は、長さ方向に押し出すことにより一体に成形される。前記中空部材は、前記ボルトにより端部において互いに締めつけられる際に、クッション性を有するため、合わせガラスに無理な応力がかからず、端部が欠けることがない。
【００４０】
（第７発明）
第７発明のフェンス用合わせガラス組立体は、中空部材の上部に設けられた凹部と対向する外部に突出する合わせガラス用凹部が成形されている。合わせガラスは、前記合わせガラス用凹部に、たとえば、緩衝材等を介在して嵌め込まれる。前記合わせガラス用凹部は、合わせガラスの組み立てが容易にでき、固定する際に前記緩衝材等により、合わせガラスに無理な応力をかけるることがない。
【００４１】
（第８発明）
第８発明のフェンス用合わせガラス組立体におけるフィルムは、フィルムが複数枚からなり、透明部と非透明部を有するフィルムと、少なくとも一枚の飛散防止用フィルムとから構成されている。前記フェンス用合わせガラス組立体は、強化ガラスが合わされているが、万が一の場合に飛散防止用フィルムを入れることにより、前記強化ガラスが飛散して、ガラスによる被害を少なくしている。
【００４２】
（第９発明）
第９発明のフェンス用合わせガラス組立体におけるフィルムは、第８発明と同様に、複数枚からなり、飛散防止用フィルム以外に、少なくとも一枚の赤外線防止用フィルムまたは紫外線防止用フィルムとから構成されている。前記フェンス用合わせガラス組立体に使用されるフィルムは、透明部と非透明部を有するフィルム、飛散防止用フィルム、赤外線防止用フィルム、あるいは、紫外線防止用フィルムから全部または複数枚あるいは１枚とすることができる。
【００４３】
（第１０発明）
第１０発明のフェンスは、合わせガラスと、前記合わせガラスの間に挿入されたフィルムと、前記合わせガラスの周囲端部に設けられたガラス保護部材とから構成されているフェンス用合わせガラス組立体と、前記フェンス用合わせガラス組立体を取り付ける複数の柱、上下の桟、および笠木から構成されている柱組立体とからなる。
【００４４】
前記複数の柱には、前記フェンス用合わせガラス組立体を取り付ける嵌合溝が備えられている。また、同様に、上桟および下桟には、前記フェンス用合わせガラス組立体の上下を支える嵌合溝が備えられている。さらに、笠木は、前記上桟と柱を覆っている。前記フェンスは、合わせガラスの間に挿入されたフィルムの透明部と非透明部により、内部からまたは外部から適度に見えるようになっている。
【００４５】
（第１１発明）
第１１発明のガラス保護部材は、合わせガラスの周囲端部を覆うものであり、柱と上桟および下桟との嵌合溝からはみ出すように構成されている。前記ガラス保護部材は、合わせガラスの周囲端部を保護するものであるから、前記柱と上桟および下桟に設けられた嵌合溝からはみ出す程度の大きさにした方がガラスの周囲端部をより強く保護することができる。
【００４６】
（第１２発明）
第１２発明のフェンスは、ガラス保護部材に使用されるアルミニウム系合金あるいは合成樹脂部材を嵌合溝からはみ出すような大きさにする必要があるため、前記はみ出し部は、柱、上下桟、および笠木の色とほぼ同じ色にする。前記構成により、前記ガラス保護部材は、柱、上下桟、および笠木の一部のようになり、美的外観を良くしている。
【００４７】
（第１３発明）
第１３発明のフェンスにおけるフィルムは、透明部と非透明部によって所望の模様が形成されている。前記模様は、美的外観を良くするだけでなく、内部または外部の一方から見えすぎずに適度の見通しを有するようにすることができる。
【００４８】
（第１４発明）
第１４発明のフェンスにおけるフィルムに形成する模様は、下部が見え難く、上部を見え易いように工夫されている。すなわち、前記模様は、フィルムの下部に非透明部が多く、前記フィルムの上部に透明部が多くなるようにして、植え込み等の雰囲気を出すことができる。
【実施例１】
【００４９】
図１は本発明の第１実施例で、フェンス用合わせガラス組立体を説明するための正面図である。図１において、フェンス用合わせガラス組立体１６は、複数枚強化ガラスが合わされた合わせガラス１６′と、前記合わせガラス１６′の周囲端部を保護する、たとえば、枠または溶着部材から構成される保護部材１７と、前記合わせガラス１６′の内面に、たとえば、透明部１８１、１８１′および非透明部１８２となるように印刷が施されたフィルム１８とから構成されている。前記非透明部１８２は、印刷以外に接着剤の塗布、蒸着膜、金属フィルム等とすることができる。
【００５０】
前記保護部材１７は、金属または合金類、たとえば、アルミニウム、銅、アルミニウム系合金、あるいはチタン系合金または合成樹脂部材等の枠からなり、合わせガラス１６′の周囲端部を覆っている。前記金属または合金類、あるいは合成樹脂系部材等は、前記合わせガラス１６′の周囲端部と密着するように溶着されることが望ましい。
【００５１】
前記保護部材１７は、枠以外に前記部材を溶着することにより、前記合わせガラス１６′の周囲端部を保護することができる。前記保護部材１７は、前記合わせガラス１６′と保護部材１７との間に隙間があると、前記合わせガラス１６′にかかる応力により、この部分において、応力が増加して割れる恐れがある。
【００５２】
前記フィルム１８は、たとえば、印刷、蒸着、塗布等により、透明部１８１、１８１′および非透明部１８２が形成されている。また、前記透明部１８１、１８１′および非透明部１８２は、前記合わせガラス１６′の一方または両方の面に形成してもよい。前記透明部１８１、１８１′の大きさは、たとえば、建物等の内部から外部が見易く、建物の外部から内部が見に難い形状にすることが望ましい。
【００５３】
前記印刷は、フィルム１８の両面に設けることにより、模様を立体的に見せることができる。さらに、合わせガラス１６′は、枚数を多くして、その間に前記模様が印刷されたフィルム１８を挟むことによっても模様を立体的に見せることができる。
【００５４】
さらに、合わせガラス１６′は、その間にフィルム１８を挿入する代わりに、少なくとも一種類の色素が混合された接着剤を塗布して接着することにより、透明部１８１および非透明部１８２の比率を適度に変えるだけでなく、模様に変化を持たせることができる。すなわち、前記模様は、接着剤の粘性や色素の量、塗布の状態で異なる模様になり、同じものができないという逆の効果がある。
【００５５】
図２は本発明の第１実施例におけるフェンスの正面図である。図３は本発明の第１実施例におけるフェンスの縦断面図である。図４は本発明の第１実施例におけるフェンスの横断面図である。図２から図４において、フェンス１１は、柱１２と、前記フェンス用合わせガラス組立体１６を上下から挟む上桟１４と、下桟１５と、前記柱１２および上桟１４を覆う笠木１３とから構成される。
【００５６】
前記上桟１４および下桟１５には、フェンス用合わせガラス組立体１６を嵌合する嵌合溝１４１（１５１図示されていない）が設けられている。また、前記笠木１３の下部には、前記上桟１４が嵌合する嵌合溝１３１が設けられている。さらに、柱１２には、前記フェンス用合わせガラス組立体１６の側部が嵌合する嵌合溝１２１、１２１′が設けられている。
【００５７】
また、前記柱１２には、必要に応じて、強度および重量を考慮した空洞１２２が設けられている。前記フェンス用合わせガラス組立体１６の周囲に設けられた枠からなるガラス保護部材１７の色は、前記柱１２、上下桟１４、１５、笠木１３の色とほぼ同じにすることにより、美的外観を良くすることができる。前記ガラス保護部材１７は、枠の代わりに合成樹脂等を塗布、溶着等により設けることができる。
【００５８】
図５（イ）および（ロ）はフェンス用合わせガラス組立体のフィルムを説明するための図である。図５（イ）および（ロ）において、フィルム１８の少なくとも一方の面には、印刷、蒸着、貼り合わせ等により非透明部１８２が設けられて、透明部１８１と区別される。
【実施例２】
【００５９】
図６（イ）および（ロ）は第２実施例で、フェンス用合わせガラス組立体のフィルムを説明するための図である。図６（イ）および（ロ）において、フェンス用合わせガラス組立体１６は、強化ガラスからなる合わせガラス１６、１６′の間に、３枚のフィルム１８、１９、２０が挿入されている。
【００６０】
前記フィルム１８は、第１実施例と同様に、透明部１８１、１８１′と非透明部１８２が形成されている。フィルム１９は、たとえば、飛散防止用フィルムからなり、万が一フェンスに何かが当たり、合わせガラス１６１、１６２が割れた場合、飛散してガラスの破片による事故を防止するものである。
【００６１】
フィルム２０は、赤外線防止用フィルムまたは紫外線防止用フィルムからなり、必要に応じて、赤外線または紫外線を何割かカットすることができる。
【実施例３】
【００６２】
図７（イ）は本発明の第３実施例である枠からなるガラス保護部材を説明するための一部切欠き図で、（ロ）一部断面図である。前記ガラス保護枠７１は、たとえば、アルミニウム合金を押し出し加工により作製されたものであり、一辺の両端が斜めに切断され、この部分が互いに合わされて、たとえば、ボルト７３等によりネジ部７１２にネジ込まれることにより接合されている。
【００６３】
前記ガラス保護枠７１は、一方の端部に前記ボルト７３の頭を収納する凹部７１１が設けられている。また、前記ガラス保護枠７１は、中空部７１３と前記中空部７１３の他端（図の下部）に合わせガラス用凹部７１４が設けられている。前記ガラス保護枠７１は、前記中空部７１３を設けることにより、互いを締めつけて固定する際に、合わせガラス１６′に対して、クッションとなり破損を防止するだけでなく、互いに密着して固定される。
【００６４】
前記ガラス保護枠７１の中空部の他端に設けられている合わせガラス用凹部７１４は、前記合わせガラス１６′を、たとえば、ゴム製緩衝材７２を入れることにより取り付けられている。  
【実施例４】
【００６５】
図８は本発明の第４実施例における横断面図である。図９は本発明の第４実施例における中間部の一部縦断面図である。図８および図９において、合わせガラス組立体１６は、間に透明部と非透明部を有するフィルムを挟むとともに、ガラスの端部四辺がガラス保護枠７１によって覆われているとともに、木柱８１の嵌合溝８１１に嵌合されている。前記ガラス保護枠７１は、木柱８１とほぼ同じ色にすると、フェンスとして美的外観が良くなる。
【実施例５】
【００６６】
図１０は本発明の第５実施例で、フェンス用合わせガラス組立体の模様を説明するための図である。図１１は本発明の第６実施例で、フェンス用合わせガラス組立体の他の模様を説明するための図である。図１０において、フェンス用合わせガラス組立体１６におけるフィルム１０１の模様は、透明部１０２、１０３と、非透明部１０４、１０５からなり、非透明部１０４の中に非円形の透明部１０３がある、さらに、フィルム１０１の模様は、非透明部１０５のストライブを有している点で、図１等により示されたものと異なる。
【実施例６】
【００６７】
図１１において、フェンス用合わせガラス組立体１６におけるフィルム１１１は、透明部１１２と非透明部１１３からなるストライブが交互に設けられている。
【産業上の利用可能性】
【００６８】
以上、本実施例を詳述したが、本発明は、前記本実施例に限定されるものではなく、特許請求の範囲に記載されている事項を逸脱することがなければ、種々の設計変更を行うことが可能である。たとえば、本発明の強化ガラス、ガラス保護部材、非透明部の部材、フェンス等の枠に使用される素材は、任意に公知または周知のものを採用することができる。
【００６９】
本発明の実施例は、住宅や構築物等の周囲を取り囲むフェンスで説明したが、ショールーム等におけるディスプレーの周りの囲い等に用いることができる。
【図面の簡単な説明】
【００７０】
【図１】本発明の第１実施例で、フェンス用合わせガラス組立体を説明するための正面図である。（実施例１）
【図２】本発明の第１実施例におけるフェンスの正面図である。
【図３】本発明の第１実施例におけるフェンスの縦断面図である。
【図４】本発明の第１実施例におけるフェンスの横断面図である。
【図５】（イ）および（ロ）はフェンス用合わせガラス組立体のフィルムを説明するための図である。
【図６】（イ）および（ロ）は第２実施例で、フェンス用合わせガラス組立体のフィルムを説明するための図である。（実施例２）
【図７】（イ）は本発明の第３実施例である枠からなるガラス保護部材を説明するための一部切欠き図で、（ロ）一部断面図である。（実施例３）
【図８】本発明の第４実施例における横断面図である。（実施例４）
【図９】本発明の第４実施例における中間部の一部縦断面図である。
【図１０】本発明の第５実施例で、フェンス用合わせガラス組立体の模様を説明するための図である。（実施例５）
【図１１】本発明の第６実施例で、フェンス用合わせガラス組立体の他の模様を説明するための図である。（実施例６）
【符号の説明】
【００７１】
１１・・・フェンス
１２・・・柱
１２１、１２１′嵌合溝
１２２・・・中空部
１３・・・笠木
１３１・・・嵌合溝
１４・・・上桟
１４１・・・嵌合溝
１５・・・下桟
１６・・・フェンス用合わせガラス組立体
１６′・・・合わせガラス
１６１、１６２・・・合わせガラス
１７・・・ガラス保護部材（ガラス保護枠）
１８・・・フィルム
１８１、１８１′・・・透明部
１８２・・・非透明部（印刷部）
７１・・・ガラス保護枠
７１１・・・凹部
７１２・・・ネジ部
７１３・・・中空部
７１４・・・合わせガラス凹部
【図１】
2006002339.tif 000003
【図２】
2006002339.tif 000004
【図３】
2006002339.tif 000005
【図４】
2006002339.tif 000006
【図５】
2006002339.tif 000007
【図６】
2006002339.tif 000008
【図７】
2006002339.tif 000009
【図８】
2006002339.tif 000010
【図９】
2006002339.tif 000011
【図１０】
2006002339.tif 000012
【図１１】
2006002339.tif 000013